(57)【要約】【課題】  従来は、Ｈ形鋼に取り付けるもので、本発明のように軽天に使用するものではなく、取付方法も異なるものである。また、軽天用の支持装置ですが、端部片が形鋼（軽溝形鋼）の一方向にしかなく係止できず、雄ねじ部材（雄ネジ）を締め付けると上面が開いてしまう恐れがある。さらに、天井板に穴を開けて取り付けるものではない。【解決手段】  雌ネジ体に、２本の支持軸を設け、各支持軸のフック片の先端を、反対方向に形設してなることを特徴とする。【選択図】図１
2016125332.tif 000002
【特許請求の範囲】
【請求項１】
雌ネジ体に、２本の支持軸を設け、各支持軸のフック片の先端を、反対方向に形設してなることを特徴とする軽天用吊下具。
【請求項２】
２本の支持軸の間隔を１０ｍｍ以上とすることを特徴とする請求項１記載の軽天用吊下具。
【請求項３】
すでに施工された軽天の天井板の所要位置に穴をあけ、そこから、軽天用吊下具の雌ネジ体に吊ボルトを螺設した状態で挿入する第１工程と、２本の支持軸の間に軽溝形鋼を挿入する第２工程と、軽天用吊下具を９０°回転させ、フック片を軽溝形鋼の上部両側に係止させる第３工程と、前記吊ボルトの先端を前記軽溝形鋼の底面に当接して固定する第４工程とからなることを特徴とする軽天用吊下具の取付方法。
【発明の詳細な説明】
【技術分野】
【０００１】    本発明は、軽天内に配設された形鋼の必要な場所に設置した軽溝形鋼に後付けにて軽天用吊下具を取り付けることのできる軽天用吊下具及び軽天用吊下具の取付方法に関するものである。
【背景技術】
【０００２】  従来の技術としては、例えば、同様な場所に使用するものではないが、金属板材を折曲して構成する金具本体に、形鋼のフランジ部などの被取付板部を配設する被取付板部配設用空間部を形成する凹状部と、この被取付板部配設用空間部に配設した前記被取付板部を支持する支持部と、この支持部と対向する対向部とを設け、この対向部に螺着部を設け、この螺着部に締付ボルトを螺着垂下して、この締付ボルトと前記支持部とでこの支持部に支持した前記被取付板部を締付挟持して前記金具本体を被取付板部に固定し得るように構成し、この金具本体に、吊リボルト若しくは吊リボルトを取り付ける取付孔又は吊りボルトを取り付ける吊リボルト取付具若しくは吊りボルト取付具を取り付ける取付孔を設けた吊り金具において、前期凹状部の縁部を鍔状に折曲形成して補強リブ部を突設し、この補強リブ部に切欠状若しくは孔状のガイド部を設け、このガイド部に可動体をスライド自在に設け、この可動体は、前記ガイド部にスライド自在に係合するスライド部と、前記締付ボルトの垂下先端に押圧されて前記支持部に支持した前記被取付板部に当接するように構成したことを特徴とする吊り金具がある。（特許文献１参照）【０００３】  また、別の従来技術として、形鋼に器具を取り付けるための器具であって、前記形鋼に外側から係合する略Ｃ字形の金具本体と、全集にねじきりされた雄ねじ部材と、を備え、前記金具本体の底面にはねじ孔が形成され、前記底面に対向する上面には、自由端側を前記底面側に向けて略直角に折曲してなる端部片が形成され、前記ねじ孔には前記雄ねじ部材の一端部側が螺合されると共に、他端側が前記金具本体から垂下され、前記雄ねじ部材の前記ねじ孔から前記金具本体内へ延出した端部と、前記金具本体の上面側とで前記形鋼を挟持することにより前記形鋼に固定されることを特徴とする器具支持装置がある。（特許文献２参照）
【先行技術文献】
【特許文献】
【０００４】
【特許文献１】  特開２０１３−１５２０１４号公報
【特許文献２】  特開２００６−１００２２号公報
【発明の概要】
【発明が解決しようとする課題】
【０００５】  上記前者は、Ｈ形鋼に取り付けるもので、本発明のように軽天に使用するものではなく、取付方法も異なるものである。【０００６】  また、上記後者においては、軽天用の支持装置ですが、端部片が形鋼（軽溝形鋼）の一方向にしかなく係止できず、雄ねじ部材（吊ボルト）を締め付けると上面が開いてしまう恐れがある。
また、天井板に穴を開けて後付にて取り付けるものではない。
【課題を解決するための手段】
【０００７】  本発明は、このような従来の構成が有していた問題を解決しようとするものであり、軽溝形鋼の上面両側に支持軸のフック片を確実に係止固定できると共に、天井板を施工した後において、下方から軽天用吊下具を取り付けることができ、照明器具等を後付にて取り付けることのできる軽天用吊下具及び軽天用吊下具の取付方法を提供することを目的とする。
【課題を解決するための手段】
【０００８】  本発明は、上記目的を達成するために、軽天用吊下具は雌ネジ体に、２本の支持軸を設け、各支持軸のフック片の先端を、反対方向に形設してなること。２本の支持軸の間隔を１０ｍｍ以上とすること。すでに施工された軽天の天井板の所要位置に穴をあけ、そこから、軽天用吊下具の雌ネジ体に吊ボルトを螺設した状態で挿入する第１工程と、２本の支持軸の間に軽溝形鋼を挿入する第２工程と、軽天用吊下具を９０°回転させ、フック片を軽溝形鋼の上部両側に係止させる第３工程と、前記吊ボルトの先端を前記軽溝形鋼の底面に当接して固定する第４工程とからなることを特徴とする軽天用吊下具の取付方法。
【発明の効果】
【０００９】１）、雌ネジ体２本の支持軸を設け、各支持軸のフック片の先端を反対方向に形設するこ      とにより、軽溝形鋼に変形することなく確実に取り付けられる。
２）、２本の支持軸の間隔を１０ｍｍ以上（１４ｍｍ位）とすることにより、一般に使用      させる軽天用の軽溝形鋼に対して、下方より挿入して取り付けることができる。
３）、本発明の取付方法により、天井施工後においても天井に穿設した穴から軽天用吊下      具を挿入して、２本の支持軸を９０°回転させることにより、軽溝形鋼に係止固定      できるもので、後付施工できるものである。
【図面の簡単な説明】
【００１０】
【図１】  本発明の一実施例を示す軽天用吊下具の正面図。
【図２】  本発明の一実施例を示す軽天用吊下具の右側面図。
【図３】  本発明の一実施例を示す軽天用吊下具の平面図。
【図４】  本発明の一実施例を示す軽天用吊下具の取付方法の第１工程図。
【図５】  本発明の一実施例を示す軽天用吊下具の取付方法の第２工程図。
【図６】  本発明の一実施例を示す軽天用吊下具の取付方法の第３工程図。
【図７】  本発明の一実施例を示す軽天用吊下具の取付方法の第４工程図。
【図８】  本発明の一実施例を示す軽天用吊下具の取付方法の第５工程図。
【発明を実施するための形態】
【００１１】  軽天用吊下具１は、６角高ナットによる雌ネジ体２の側面に、２本の線材を曲折し、上部にフック片３ａを設けた支持軸３を、約１４ｍｍの間隔３ｂを設けて溶接Ｙにて固着してある。
なお、相対向する支持軸３のフック片３ａの先端３ａ１を反対方向に形設してなる。（図１〜図３参照）
【００１２】  上記軽天用吊下具１の取付方法について説明する。
すでに施工された軽天Ｋ（軽鉄天井）の天井板Ｔの所要位置に穴ＡＮ（予め配設された形鋼（図示せず）の必要な場所に設置した照明器具等を取り付けるための軽溝形鋼ＣＧの位置は判っている）をあけ、そこから軽天用吊下具１の雌ネジ体２に吊りボルトＴＢを螺設した状態で挿入する第１工程。（図４参照）
２本の支持軸３の間に軽溝形鋼ＣＧを挿入する第２工程。（図５参照）
軽天用吊下具１を９０°回転させ、フック片３ａを軽溝形鋼ＣＧの上部両側に先端３ａ１を係止させる第３工程。（図６参照）
前記吊ボルトＴＢの先端Ｓを前記軽溝形鋼ＣＧの底面に当接して固定すべく吊ボルトＴＢを回転させる第４工程。（図７参照）
その後、所要の例えば照明器具（図示せず）の取付具ＴＧを吊ボルトＴＢに取り付けるものである。（図８参照）
【産業上の利用の可能性】
【００１３】  従来、例えば、照明器具（蛍光灯４０ｗ×２灯用以上）の吊ボルトへの施工は、軽鉄天井の下地を組んだ段階で照明器具の配置に合わせてセットするが、天井仕上げ材を貼る前にボルトを取り付けると、天井を貼るのに邪魔となり、軽天業者からの苦情を受けることが多い。天井を貼った後でボルトを取り付けると、仕上げた天井を剥いだり、天井へもぐったりで、天井を傷める危険性があり、施工の手間数も増えるという問題点があり、本発明の軽天用吊下具１は、これらをクリアーできる。
また、照明器具のみならず、他に必要とされる器具（例えばスピーカー等）を取り付けることができ、色々応用できるものである。
【００１４】  なお、軽天用吊下具の材質は、必要な強度が出れば、特に限定するものではない。
また、形状や大きさも必要に応じて決めればよい。
【符号の説明】
【００１５】  １―――軽天用吊下具
２―――雌ネジ体
３―――支持軸
Ｋ―――軽天
ＣＧ――軽溝形鋼
ＴＢ――吊ボルト
【図１】
2016125332.tif 000003
【図２】
2016125332.tif 000004
【図３】
2016125332.tif 000005
【図４】
2016125332.tif 000006
【図５】
2016125332.tif 000007
【図６】
2016125332.tif 000008
【図７】
2016125332.tif 000009
【図８】
2016125332.tif 000010